(57)【要約】【課題】  予備ロール紙と現用ロール紙との相互接触を抑制してロール紙の引き出しが円滑で、予備ロール紙の移動も容易なロール紙ホルダを提供する。【解決手段】  予備ロール紙と現用ロール紙とを一連に保持する支持軸９の予備ロール紙保持側９ａと現用ロール紙保持側９ｂとの中間には突起部１０が設けられている。この突起部１０は、予備ロール紙保持側９ａから現用ロール紙保持側９ｂに向かって漸次高さを増す傾斜部を有しこの傾斜部の現用ロール紙保持側端面が支持軸に向かって垂直である。このような形体の突起部１０を設けることにより、予備ロール紙を現用ロール紙として支持軸９に沿ってスライドさせることが容易であり、また、使用者がロール紙を引き出す際に、跳動する現用ロール紙のロール芯が突起部１０を跳び越えて予備ロール紙に接触することがない。【選択図】    図１
2007135946.tif 000002
【特許請求の範囲】
【請求項１】
予備ロール紙と現用ロール紙とを一本の支持軸に保持して使用するロール紙ホルダであって、前記支持軸の予備ロール紙保持側の端部は固定され、現用ロール紙保持側の他端は、ロール紙落下防止用ストッパを設けて開放されていて、さらに、支持軸上の、予備ロール紙保持位置と現用ロール紙保持位置との間には、予備ロール紙保持側から現用ロール紙保持側に向かって漸次高さを増す傾斜部を有しこの傾斜部の現用ロール紙保持側端面が支持軸に向かって垂直である戻り防止突起が形成されていることを特徴とするロール紙ホルダ。
【請求項２】
請求項１に記載のロール紙ホルダにおいて、前記戻り防止突起は、支持軸の下面側に形成されず上面側に形成されていることを特徴とするロール紙ホルダ。
【請求項３】
請求項１または請求項２に記載のロール紙ホルダにおいて、前記予備ロール紙と前記現用ロール紙の上方を覆う上面カバーを備えたことを特徴とするロール紙ホルダ。
【請求項４】
請求項３に記載のロール紙ホルダにおいて、前記予備ロール紙の前面を覆う前面カバーを備えたことを特徴とするロール紙ホルダ。
【請求項５】
請求項４に記載のロール紙ホルダにおいて、前記上面カバーと前面カバーとの間には、前面視支持軸の軸線より上方でかつ水平方向に予備ロールを現用ロール紙側に押し出すための間隙が設けられていることを特徴とするロール紙ホルダ。
【請求項６】
請求項５に記載のロール紙ホルダにおいて、前記上面カバーと前面カバーとが側面カバーによって一体化され、この側面カバーには前記間隙と連結したスリットが支持軸固定位置中心に向かった傾きで設けられていることを特徴とするロール紙ホルダ。
【発明の詳細な説明】
【技術分野】
【０００１】
本発明はトイレット・ペーパー、キッチン・ペーパー等を使用するためのロール紙ホルダに関し、さらに詳細には、予備ロール紙ホルダを備えた多連式のロール紙ホルダの改良に関する。
【背景技術】
【０００２】
トイレットペーパーやキッチンペーパー等を使用するためのロール紙ホルダに関しては様々な発明が行われている。そして予備ロール紙ホルダを備えたものについても色々なアイデアが提案されている。
【０００３】
例えば、特許文献１には壁埋め込み型のロールペーパー貯蔵供給装置が開示されている。この発明のロールペーパー貯蔵供給装置は、壁内に縦長の収納部を設け、ここに多数個のロール紙を段積み貯蔵しておき、使用中のロール紙（現用ロール紙）が消費されて取り除かれると、段積み最下段の予備ロール紙が供給される仕組みのものである。
【０００４】
また、特許文献２に記載のトイレットペーパーホルダは、横位置に予備のトイレットペーパーを収納状態に保持するようにしたトイレットペーパーホルダであって、使用位置に設けてある第１支持軸とは別に、ストック部に予備のトイレットペーパーを中心孔において支持する第２支持軸を設けている。このようにすることで、ストック部に外径の小さな予備のトイレットペーパーを備えておく場合においても、第２支持軸によってその中心孔の高さを、使用位置にある第１支持軸の中心位置の高さに合せておくことができるとしている。
【０００５】
特許文献３のロール体保持装置においては、現用ロール紙側に配置した側板に開口部を設けることで、現用ロールがほぼ巻芯のみになった場合に、この巻芯を軸部から容易に取り外せるようにしている。なお、軸部には二個以上のロール紙を保持することができ、予備ロール紙は前面カバーの一部に開放された窓１１から指を入れて横にスライドさせて現用に供することができる構成になっている。
【０００６】
また、特許文献４の「側面から補充交換するトイレット、ロールペーパーセット台」は、片側を開放状態としたペーパー支持軸に、ロールペーパー落下防止突起部を設け、さらに、ペーパー破断板の側面にもロールペーパー落下防止抑板を取り付けている。そして、ペーパー破断板を上に起こすことで側面に解放部を確保し、この解放部を利用してロールペーパーの補充交換を簡単、迅速に行うものである。
【０００７】
【特許文献１】実開平０１−８９０９５号公報
【特許文献２】特開２００２−２３３４７３号公報
【特許文献３】実開平０２−１１９８９７号公報
【特許文献４】特開２０００−９３３４６号公報
【発明の開示】
【発明が解決しようとする課題】
【０００８】
特許文献１のロールペーパー貯蔵供給装置にあっては、大掛かりな構造で使用場所に制約がある。また、特許文献２のトイレットペーパーホルダにあっては、予備ロール紙の支持軸と現用ロールの支持軸を別々に設けて細工しているため構造が複雑となり、かえって予備ロールの移動が難しくなっている。さらに特許文献３および４の構造では、予備ロール紙と現用ロール紙とが一本の支持軸に保持されるものであるが、両ロール紙の間には何の区切り用手段も施されていないため、ロール紙同士の接触・摩擦により、紙のスムーズな引き出しが困難となる。特に、特許文献３について、予備ロール紙側の前面カバーに空けた予備ロール紙スライド用の窓は、横幅が狭いため指を入れて操作することが難しい。
【０００９】
なお、これらの先行技術以外に、予備ロール紙と現用ロール紙とを一本の支持軸に保持し、両ロール紙間に突起を設けたロール紙ホルダも知られているが、単なる突起だけではロール紙のスムーズな移動が難しかった。また、突起に代えて、現用ロール紙側の支持軸を予備ロール紙側よりも細くすることで支持軸に段差を設ける技術も知られている。しかし、この場合には、ロール紙同士が接触するた
【００１０】
本発明が解決しようとする課題は、大掛かりな構造でなく使用場所に制約を受けず、ロール紙の引き出しがスムーズで行え、しかも操作が容易であるロール紙ホルダを提供することにある。
【課題を解決するための手段】
【００１１】
上記課題を解決するため本発明のロール紙ホルダは、予備ロール紙と現用ロール紙とを一本の支持軸に保持して使用するロール紙ホルダであって、前記支持軸の予備ロール紙保持側の端部は固定され、現用ロール紙保持側の他端は、ロール紙落下防止用ストッパを設けて開放されていて、さらに、支持軸上の、予備ロール紙保持位置と現用ロール紙保持位置との間には、予備ロール紙保持側から現用ロール紙保持側に向かって漸次高さを増す傾斜部を有しこの傾斜部の現用ロール紙保持側端面が支持軸に向かって垂直である戻り防止突起が形成された構成とした。こうすることで、予備ロール紙を現用ロール紙保持側に支持軸に沿ってスライドさせることが容易となる。
【００１２】
本発明において前記戻り防止突起は、支持軸の下面側には配置せず上面側に配置する。上面側に配置すれば、ロール紙の自重によって戻りが規制される。
【００１３】
本発明においては、前記予備ロール紙と前記現用ロール紙の上方を覆う上面カバーを備えた構成とすることができる。このように、上面カバーを設けることで棚として利用することができる。
【００１４】
また本発明においては、予備ロール紙の前面を覆う前面カバーを備えた構成としてもよい。このようにすることで、予備ロール紙を誤って使用することを防げる。
【００１５】
また、前記上面カバーと前面カバーとの間には、前面視支持軸の軸線より上方でかつ水平方向に予備ロールを現用ロール紙側に押し出すための間隙を設けることで、交換操作がスムーズに行える。
【００１６】
さらに、側面カバーには前記間隙と連結したスリットが、支持軸固定位置中心に向かった傾きで設けられていることが好ましい。こうすることで、使用者が指を出し入れしやすく操作が容易となる。
【発明の効果】
【００１７】
本発明のロール紙ホルダには、支持軸上の、予備ロール紙保持位置と現用ロール紙保持位置との間に、予備ロール紙保持側から現用ロール紙保持側に向かって漸次高さを増す傾斜部を有しこの傾斜部の現用ロール紙保持側端面が支持軸に向かって垂直である突起が形成されている。
このため、予備ロール紙を現用ロール紙保持側に支持軸に沿ってスライドさせることが容易であり、さらに、使用者がロール紙を引き出す際に、跳動する現用ロール紙のロール芯が突起部を跳び越えて予備ロール紙に接触することがない。
前記突起を、支持軸の上面側に配置した場合には、ロール紙の自重によって戻りが規制され、最も効率良く予備ロール紙のスライド移動および現用ロール紙の跳動抑制を行うことができる。
【００１８】
さらに、前記予備ロール紙と前記現用ロール紙の上方を覆う上面カバーを備えることで、この上面カバーを設けることで棚として利用することができる。
また、予備ロール紙の前面を覆う前面カバーを備えた構成としてもよい。このようにすることで、予備ロール紙を誤って使用することを防げる。
【００１９】
また、前記上面カバーと前面カバーとの間に、前面視支持軸の軸線より上方でかつ水平方向に予備ロールを現用ロール紙側に押し出すための間隙を設けることで、使用者が指を出し入れしやすく、従来の窓型や、切欠型とは異なり、予備ロールを最後まで押すことができるようになり、操作が容易となる。
また、側面カバーに設けるスリットについて、支持軸固定位置中心に向かった傾きを設けることで、使用者が指を出し入れしやすく操作が容易となる。
【発明を実施するための最良の形態】
【００２０】
以下に本発明を実施するための実施の形態を添付図面に基づいて説明する。ここで、図１は本発明に係るロール紙ホルダの全体斜視図、図２は同ロール紙ホルダの正面図、図３は同ロール紙ホルダの平面図、図４は同ロール紙ホルダの左側面図、図５は同ロール紙ホルダの右側面図、図６は同ロール紙ホルダを構成する支軸とベースプレートの関係を示す斜視図である。
【００２１】
ロール紙ホルダはホルダ本体１とこのホルダ本体１を壁面に固定するためのベースプレート２からなり、ホルダ本体１はロール紙の上方を覆う上面カバー３、予備ロール（図示せず）の前面を覆う前面カバー４及び片側の側板５からなる。
上面カバー３、前面カバー４及び側板５に関しては、本図に示すように一体化してもよいし、別体としてもよい。
【００２２】
前記ベースプレート２にはアーム６が取り付けられ、このアーム６の先端に軸受け７が設けられている。この軸受け７はホルダ本体１の形成した開口８を介してホルダ本体１内に臨み、支持軸９の一端が片持ち支持される。尚、アーム６に軸受け７を設けず、側板５に軸受け７を設けてもよい。
【００２３】
支持軸９は、予備ロール紙と使用に供するロール紙（現用ロール紙）とを一連に保持するものである。支持軸９の予備ロール紙保持側９ａと現用ロール紙保持側９ｂとの中間には突起部１０が設けられている。また、予備ロール紙保持側９ａの端部は前記したように軸受け７に挿着され、現用ロール紙保持側９ｂの端部は、ロール紙落下防止用ストッパ１１を設けて開放されている。このストッパ１１は、ロール紙の芯内径よりも大きな径の円板状物等によって形成することができる。
【００２４】
前記突起部１０は、予備ロール紙保持側９ａから現用ロール紙保持側９ｂに向かって漸次高さ増す傾斜部を有し、この傾斜部の現用ロール紙保持側９ｂの端面が支持軸に向かって垂直である。このような形体の突起部１０を設けることにより、予備ロール紙を現用ロール紙として支持軸９に沿ってスライドさせることが容易であり、また、使用者がロール紙を引き出す際に、跳動する現用ロール紙のロール芯が突起部１０を跳び越えて予備ロール紙に接触することがない。現用ロール紙保持側９ｂにおける突起部１０の高さには特に制限はなく、上記ロール芯の跳動を抑制可能な範囲で適宜設定することができる。
【００２５】
突起部１０の形状については、支持軸９の周縁を覆うドーナツ状であっても良く、また、支持軸の一部に立設したものであっても良い。中でも、支持軸９の上面側のみに設けたものが最も効率良く予備ロール紙のスライド移動および現用ロール紙の跳動抑制を行うことができるため推奨される。
【００２６】
また、上面カバー３と前面カバー４との間に形成される間隙ｄは、指で予備ロール紙を現用ロール紙側に押し出すために必須の構成である。間隙ｄは、人が指を入れて予備ロールを現用ロール紙保持側９ｂにスライドさせるためのものである。間隙ｄの幅については特に制限はないが、大人の指が十分に入れられる程度の幅を確保することが望ましい。
また、この間隙ｄは、支持軸の軸線より上方でかつ水平方向に設けられいることが望ましい。使用者が指を出し入れしやすく、操作が容易となる。
【００２７】
また、間隙ｄは、図１に示す通り上面カバー３と前面カバー４とを完全に分断すること、すなわち、一部がふさがった窓型、や片方がふさがった切り欠き型でないことが必要である。一部がふさがった窓型、切欠型であると、予備ロールをスライドさせる場合に最後まで押し出すことができず使用者が不便を感じることとなる。
【００２８】
上記指を入れるための間隙ｄは、側板５が存在する場合には、側板５にも間隙ｄと連結したスリット１２を設ける必要がある。そして、このスリット１２は、支持軸固定位置、すなわち交点ｃに向かって水平面から傾きθを持って設けられていることが好ましい。θの傾きを持たせることで、使用者が指を出し入れしやすく操作が容易となる。
【００２９】
また、上面カバー３の内側上部で現用ロール紙保持側９ｂに対応する箇所には、紙切り板１３を設けている。この紙切り板１３は奥側が軸ピンを介して回動自在に支持され、手前側を上面カバー３の内側面に当たるまで持ち上げると、弾性体の力でその位置を保持する。
【００３０】
以上において、現用ロール紙がなくなった場合には、現用ロール紙の芯を外して捨てるとともに、指で予備ロールを現用ロール紙保持側に押し出す。すると、予備ロールは突起部１０の傾斜部を乗り越えて現用ロール紙保持側に移る。この場合、現用ロール紙保持側に移った予備ロールは突起部１０の現用ロール紙保持側９ｂの端面に当たって元の位置に戻ることはない。
【図面の簡単な説明】
【００３１】
【図１】本発明に係るロール紙ホルダの全体斜視図
【図２】同ロール紙ホルダの正面図
【図３】同ロール紙ホルダの平面図
【図４】同ロール紙ホルダの左側面図
【図５】同ロール紙ホルダの右側面図
【図６】同ロール紙ホルダを構成する支軸とベースプレートの関係を示す斜視図
【符号の説明】
【００３２】
１…ホルダ本体、２…ベースプレート、３…上面カバー、４…前面カバー、５…側板、６…アーム、７…軸受け、８…開口、９…支持軸、９ａ…支持軸の予備ロール紙保持側、９ｂ…支持軸の現用ロール紙保持側、１０…突起部、１１…ロール紙落下防止用ストッパ、１２…スリット、１３…紙切り板、ｄ…間隙。
【図１】
2007135946.tif 000003
【図２】
2007135946.tif 000004
【図３】
2007135946.tif 000005
【図４】
2007135946.tif 000006
【図５】
2007135946.tif 000007
【図６】
2007135946.tif 000008
【手続補正書】
【提出日】平成17年12月2日(2005.12.2)
【手続補正１】
【補正対象書類名】明細書
【補正対象項目名】０００９
【補正方法】変更
【補正の内容】
【０００９】
なお、これらの先行技術以外に、予備ロール紙と現用ロール紙とを一本の支持軸に保持し、両ロール紙間に突起を設けたロール紙ホルダも知られているが、単なる突起だけではロール紙のスムーズな移動が難しかった。また、突起に代えて、現用ロール紙側の支持軸を予備ロール紙側よりも細くすることで支持軸に段差を設ける技術も知られている。しかし、この場合には、ロール紙同士が接触するため、相互の摩擦により、ロール紙のスムーズな引き出しが困難となる。